(57)【要約】【課題】カバー部材が塑性変形することを防止できる表示装置を提供すること。【解決手段】表示器本体２に設けられた係合部２０に係合する係合片１２が設けられたカバー部材１０を備えた表示装置１であって、この係合片１２が表示器本体２の周縁部に向かって延在した係合片本体１３を有し、係合部２０が互いに対向して係合片１２の延在方向と直交する方向に向かってこの係合片１２を挟み込む第一、第二狭持部２２，２３を有しており、この第一、第二狭持部２２，２３に第一、第二凸部（凸部）２４，２５が形成されると共に係合片本体に貫通孔（凹部）１４が形成され、この第一、第二凸部２４，２５が貫通孔１４に入り込むと共に、第二狭持部２３が係合片１２の延在方向と直交する方向に沿って弾性変形して第一、第二狭持部２２，２３間に係合片本体１３を狭持する。【選択図】図２
2010019741.tif 000002
【特許請求の範囲】
【請求項１】
表示面を有し、該表示面の周縁部に複数の係合部が設けられた表示器本体と、前記表示面を覆う透明カバー面を有し、該透明カバー面の周縁部に前記複数の係合部のそれぞれに係合する複数の係合片が設けられたカバー部材とを備えた表示装置であって、
前記複数の係合片は、それぞれ前記透明カバー面の前記周縁部から前記表示器本体の周縁部に向かって延在した係合片本体を有し、一方、前記複数の係合部のそれぞれは、互いに対向して前記係合片の延在方向と直交する方向に向かって該係合片を挟み込む第一、第二狭持部を有し、
前記第一、第二狭持部の少なくとも一方又は前記係合片本体に凸部が形成され、他方に該凸部が入り込む凹部が形成され、
この第一、第二狭持部間に前記係合片本体が挿入された際に、前記凸部が前記凹部に入り込むと共に、前記第一、第二狭持部の少なくともどちらか一方が前記係合片の延在方向と直交するに沿って弾性変形して前記係合片本体を狭持し、前記係合片本体に応力が作用しない状態で前記係合片と前記係合部とが係合することを特徴とする表示装置。
【請求項２】
前記凸部及び前記凹部は、前記第一狭持部と前記係合片本体との間と、前記第二狭持部と前記係合片本体との間とのそれぞれに形成されていることを特徴とする請求項１に記載の表示装置。
【請求項３】
前記凸部の外周面は、少なくとも前記係合片の挿入時に最初に前記係合部又は前記係合片に当接する部分が球状に湾曲しており、前記凹部は矩形状の開口部を有していることを特徴とする請求項１又は２に記載の表示装置。
【請求項４】
前記凸部の外周面は、前記係合部又は前記係合片に当接する部分の背面側に前記凹部に入り込んだ際に、該凹部の内側面と噛み合う平坦面が形成されていることを特徴とする請求項１〜３のいずれか一項に記載の表示装置。
【発明の詳細な説明】
【技術分野】
【０００１】
本発明は、表示面の周縁部に係合部が設けられた表示器本体と、表示面を覆う透明カバー面の周縁部に係合片が設けられたカバー部材とを備えた表示装置に関するものである。
【背景技術】
【０００２】
従来から、表示器本体の表示面をカバー部材の透明カバー面で覆う際に、表示面の周縁部に設けられた係合部と透明カバー面の周縁部に設けられた係合片とを係合させる表示装置が知られている（例えば、特許文献１参照）。
【０００３】
この表示装置では、係合片が透明カバー面の周縁部から延在された係合片本体と、この係合片本体の先端部に突設された突出部とを有しており、係合片本体が、係合片本体の基部を中心に先端が起立するように弾性変形し、この係合片本体の弾性力により突出部が係合部に係合して上記係合部と係合片とが係合するようになっている。
【特許文献１】特開２００５−３０８４２９号公報
【発明の開示】
【発明が解決しようとする課題】
【０００４】
ところで、上述の表示装置では、係合片の係合片本体が基部を中心に先端が起立するように弾性変形するため、カバー部材の透明カバー面に係合片本体の変形による応力（負荷）が作用し、カバー部材全体に表示器本体から離間する方向の応力がかかっていた。
【０００５】
そのため、気温変化等に伴って生じる熱応力がこのカバー部材に繰り返し作用すると、透明カバー面が塑性変形するおそれがあった。
【０００６】
特に、透明カバー面が表示面に向かって凹状に湾曲して反っている場合には、カバー部材にかかる応力が強くなり、塑性変形しやすくなっていた。
【０００７】
そこで、この発明は、カバー部材が塑性変形することを防止できる表示装置を提供することを課題としている。
【課題を解決するための手段】
【０００８】
上記課題を解決するために、この発明に係る表示装置は、表示面を有し、該表示面の周縁部に複数の係合部が設けられた表示器本体と、前記表示面を覆う透明カバー面を有し、該透明カバー面の周縁部に前記複数の係合部のそれぞれに係合する複数の係合片が設けられたカバー部材とを備え、前記複数の係合片は、それぞれ前記透明カバー面の前記周縁部から前記表示器本体の周縁部に向かって延在した係合片本体を有し、一方、前記複数の係合部のそれぞれは、互いに対向して前記係合片の延在方向と直交する方向に向かって該係合片を挟み込む第一、第二狭持部を有し、前記第一、第二狭持部の少なくとも一方又は前記係合片本体に凸部が形成され、他方に該凸部が入り込む凹部が形成され、この第一、第二狭持部間に前記係合片本体が挿入された際に、前記凸部が前記凹部に入り込むと共に、前記第一、第二狭持部の少なくともどちらか一方が前記係合片の延在方向と直交する方向に沿って弾性変形して前記係合片本体を狭持し、前記係合片本体に応力が作用しない状態で前記係合片と前記係合部とが係合することを特徴としている。
【０００９】
また、前記凸部及び前記凹部は、前記第一狭持部と前記係合片本体との間と、前記第二狭持部と前記係合片本体との間とのそれぞれに形成されたものであってもよい。
【００１０】
また、前記凸部の外周面は、少なくとも前記係合片の挿入時に最初に前記係合部又は前記係合片に当接する部分が球状に湾曲しており、前記凹部は矩形状の開口部を有しているものであってもよい。
【００１１】
また、前記凸部の外周面は、前記係合部又は前記係合片に当接する部分の背面側に前記凹部に入り込んだ際に、該凹部の内側面と噛み合う平坦面が形成されているものであってもよい。
【発明の効果】
【００１２】
この発明によれば、表示器本体に設けられた係合部が互いに対向して係合片の係合片本体を挟み込む第一、第二狭持部を有すると共に、この第一、第二狭持部の少なくとも一方又は係合片本体に凸部が形成され他方に凹部が形成されており、この第一、第二狭持部間に係合片が挿入されると凸部が凹部に入り込み、同時にこの係合片を第一、第二狭持部の少なくとも一方が係合片の延在方向と直交するに沿って弾性変形することで狭持する。
【００１３】
そのため、係合片の係合片本体が変形せず、この係合片本体に応力が作用しない状態で係合片と係合部とが係合することとなる。これにより、カバー部材の透明カバー面に応力が作用することがなくなり、気温変化等に伴う熱応力がカバー部材に作用しても、このカバー部材が塑性変形することを防止できる。
【００１４】
また、凸部及び凹部が、第一狭持部と係合片本体との間と、第二狭持部と係合片本体との間とのそれぞれに形成されたものにあっては、係合片本体が第一、第二狭持部のそれぞれに引っかかり、カバー部材を安定した状態で取り付けることができる。
【００１５】
また、凸部の外周面のうち、少なくとも係合片の挿入時に最初に係合部又は係合片に当接する部分が球状に湾曲し、凹部が矩形状の開口部を有しているものにあっては、凸部と係合部又は係合片とが円滑に摺接させることができると共に、凸部と凹部との形状が異なるためにさらに外れにくくすることが可能となる。
【００１６】
また、凸部の外周面のうち、係合部又は係合片に当接する部分の背面側に凹部に入り込んだ際にこの凹部の内側面と噛み合う平坦面が形成されているものにあっては、この平坦面によって凸部と凹部との係合強度を向上させてカバー部材をさらに外れにくくすることができ、より安定した状態でカバー部材を取り付けることができる。
【発明を実施するための最良の形態】
【００１７】
本発明に係る表示装置の最良の実施の形態について、図面に基づいて説明する。
【００１８】
図１に示す１は、車両のインストルメントパネルに取り付けられる表示装置であり、ここではコンビネーションメータである。この表示装置１は、表示器本体２と、この表示器本体２の前面を覆うカバー部材１０とを備えている。
【００１９】
表示器本体２は、図２に示すように、ハウジング３と、このハウジング３内に収容される表示システム４とを有している。
【００２０】
ハウジング３は、前面側に開放した箱状のリアハウジング３ａと、このリアハウジング３ａの開放端３ｃ側に取り付けられる反射部材３ｄと、この反射部材３ｄの前面側に位置すると共に両端が開放した筒状のフロントハウジング３ｂとを有している。
【００２１】
ここで、フロントハウジング３ｂは、後述する表示面を取り囲むものであり、先端部３ｅには透明板部材５が嵌着されている。また、この先端部３ｅの先端下部３ｅ１は、先端上部３ｅ２よりも前方側に突出しており、この先端上部３ｅ２がリアハウジング３ａ側に向かって傾いている。
【００２２】
さらに、このフロントハウジング３ｂの先端下部３ｅ１及び先端上部３ｅ２には、カバー部材１０の後述する係合片１２が係合する係合部２０，２０がそれぞれ形成されている。
【００２３】
なお、ここでフロントハウジング３ｂが表示面を取り囲んでいるので、この係合部２０が表示面の周縁部に位置することとなる。また、係合部２０は、フロントハウジング３ｂの周縁全体では、ここでは４箇所形成されている（図１参照）。
【００２４】
各係合部２０は、係合片１２が挿入される開口部２１と、互いに対向すると共に係合片１２の延在方向と直交する方向にこの係合片１２を挟み込む第一、第二狭持部２２，２３とを有している。
【００２５】
第一狭持部２２は、図３に示すように、フロントハウジング３ｂの周面壁３ｆに形成されており、第二狭持部２３は、周面壁３ｆから外方に立設した支持壁３ｆ´の端に片持ち状態に形成された延在壁３ｇである。
【００２６】
ここで、延在壁３ｇは周面壁３ｆとほぼ平行に延びると共に、延在壁３ｇの幅方向の両端部には周壁面３ｆに向かって片持ち状態で延びる側壁３ｇ´がそれぞれ形成されている。
【００２７】
その結果、第一、第二狭持部２２，２３の間に、係合片１２が侵入可能な空間が形成される。
【００２８】
また、第一狭持部２２には第一凸部２４が形成され、第二狭持部２３には第二凸部２５が形成されている。この第一、第二凸部２４，２５は、それぞれ外周面がドーム状（半球状）に膨出した形状をなし、且つその頂部が互いに対向するように形成されている。また、この第一、第二凸部２４，２５の頂部の間隔は、係合片１２の厚みよりも小さくなっている。
【００２９】
そして、表示システム４は、基板６と、この基板６の前面６ａ側に配置された表示板７と、表示板７の前面７ａ側で回動する指針８とを有している。
【００３０】
基板６は、リアハウジング３ａと反射部材３ｄとの間に狭持されるプリント基板（プリント配線板）であり、背面６ｂ側に指針８を回動させるムーブメント８ａが実装されている。
【００３１】
また、表示板７は、目盛りや数字等からなる指標部７ｃ（図１参照）が表示面である前面７ａに形成されると共に、ムーブメント８ａの出力軸８ｂが貫通する貫通孔が形成されている。
【００３２】
そして、指針８は、表示板７の貫通孔７ｂから突出した出力軸８ｂの先端に固定され、表示板７に沿って延びている。これにより、この指針８はムーブメント８ａによって回動する出力軸８ｂと一体的に回動し、表示板７に形成された指標部７ｃを適宜指示する。
【００３３】
一方、カバー部材１０は、無色透明の樹脂（例えばアクリル等）により形成されており、上記表示面である表示板７の前面７ａに対向する平板状のカバー面部（透明カバー面）１１と、このカバー面部１１の周縁部に形成された複数の係合片１２，…とを有している。
【００３４】
カバー面部１１は、フロントハウジング３ｂの先端部３ｅに沿った形状をしており、上部がリアハウジング３ａ側に向かって傾いていると共に、中央部付近がへこむように湾曲している。なお、このカバー面部１１は、フロントハウジング３ｂの先端部３ｅに嵌着された透明板部材５との間に所定間隔をあけて配置されている。
【００３５】
そして、この係合片１２は、カバー面部１１の周縁部１１ａから表示器本体２の周縁部に向かって延在した平板状の係合片本体１３と、この係合片本体１３を貫通する貫通孔（凹部）１４とを有している。
【００３６】
係合片本体１３は、先端部１３ａが自由端となっており、基部１３ｂを中心にして表示装置１の内外方向に弾性変形可能となっている（図３参照）。
【００３７】
また、貫通孔１４は矩形状の開口部１４ａを有しており（図４参照）、この開口部１４ａは第一、第二凸部２４，２５の直径よりも係合片１２の延在方向の幅が狭くなっている。
【００３８】
これにより、この貫通孔１４内に第一、第二凸部２４，２５が入り込んだ際に、この第一、第二凸部２４，２５の外周面が開口部１４ａの周縁に当接し、第一、第二凸部２４，２５は、それぞれが貫通孔１４の開口部１４ａ内に入り込むことで頂部の間隔が広がることとなる（図５参照）。
【００３９】
次に、本発明に係る表示装置１の作用を説明する。
【００４０】
この表示装置１を組み立てるには、まず表示器本体２をあらかじめ組み立てる。その後、組み立てられた表示器本体２にカバー部材１０を組み付ける。
【００４１】
このカバー部材１０を組み付けるには、まず、表示器本体２の表示面と、カバー部材１０のカバー面部１１とを対向させると共に、各係合部２０と各係合片１２とがそれぞれ対向するように位置決めする。
【００４２】
そして、図５（ａ）に示すように、カバー部材１０の係合片１２を係合部２０の開口部２１に矢印Ｘ方向に沿って挿入する。係合片１２は係合片本体１３の先端部１３ａから開口部２１内に挿入される。ここで、係合片１２は、側壁３ｇ´，３ｇ´、延在壁３ｇ，３ｆにより位置決めされながら挿入される。
【００４３】
そして、開口部２１内に挿入された係合片１２は、図５（ｂ）に示すように、先端部１３ａが第一、第二凸部２４，２５に当接する。
【００４４】
ここで、第一、第二凸部２４，２５がそれぞれドーム状に膨出しているので、係合片１２の先端部１３ａは第一、第二凸部２４，２５の外周面に円滑に摺接しながら押し込まれ、図５（ｃ）に示すように、係合片１２は第一狭持部２２である延在壁３ｇを押し上げる。
【００４５】
このとき、延在壁３ｇは支持壁３ｆ´を中心にして表示装置１の外方（図５（ｃ）において矢印Ｙで示す方向）に向かって起立するように弾性変形し、第一狭持部２２と第二狭持部２３との間隔が広がる。これにより、係合片１２がこの第一、第二凸部２４，２５間に入り込む。
【００４６】
そして、さらに係合片１２を押し込んでいき貫通孔１４と第一、第二凸部２４，２５とが対向すると、この貫通孔１４内に第一、第二凸部２４，２５が入り込み、係合片１２の係合片本体１３が第一、第二狭持部２２，２３間に狭持される（図３参照）。
【００４７】
ここで、第一、第二凸部２４，２５は、それぞれが貫通孔１４の開口部１４ａ内に入り込むことで頂部の間隔が広がるので、第一狭持部２２が支持壁３ｆ´を中心にして表示装置１の外方に向かって起立するように弾性変形した状態が保持される。
【００４８】
そのため、この第一、第二狭持部２２，２３間に狭持された係合片本体１３は、貫通孔１４内に第一、第二凸部２４，２５が入り込むと共に、係合片１２の延在方向と直交する方向である表示装置１の内外方向に沿って弾性変形した第一狭持部２２により第二狭持部２３に向かって押し付けられ、この第一、第二狭持部２２，２３間に狭持される。
【００４９】
さらにこのとき、係合片本体１３は、第一、第二狭持部２２，２３間に挟まれるだけなので変形せず、応力が作用することはない。これにより、この係合片本体１３に応力が作用しない状態で係合片１２と係合部２０とが係合することとなり、カバー部材１０のカバー面１１に応力が作用することがなく、気温変化等に伴う熱応力が作用しても、塑性変形してしまうことを防止することができる。
【００５０】
また、上述の実施の形態では、第一狭持部２２に第一凸部２４が形成され、第二狭持部２３に第二凸部２５が形成され、係合片１２の係合片本体１３に第一、第二凸部２４，２５がそれぞれ入り込む貫通孔１４が形成されている。
【００５１】
これにより係合片本体１３が第一、第二狭持部２２，２３のそれぞれに引っかかることができ、カバー部材１０を安定した状態で取り付けることができる。
【００５２】
さらに、上述の実施の形態では、第一、第二凸部２４，２５のそれぞれがドーム状に膨出しており、係合片１２を係合部２０の開口部２１から挿入した際に最初に当接する部分が球状に湾曲することとなる。また、貫通孔１４が矩形状の開口を有している。
【００５３】
そのため、係合片１２が第一、第二凸部２４，２５をスムーズに乗り越えることができ、この第一、第二凸部２４，２５と貫通孔１４とが円滑に係合させることができる。また、第一、第二凸部２４，２５と貫通孔１４の開口との形状が異なるため、第一、第二凸部２４，２５の外周面が開口縁に引っかかり、さらに外れにくくすることが可能となる。
【００５４】
以上、この発明にかかる実施の形態を図面により詳述してきたが、具体的な構成は上述の実施の形態に限らない。この発明の要旨を逸脱しない範囲の設計の変更等はこの発明に含まれる。
【００５５】
例えば、上述の実施の形態では、第一、第二凸部２４，２５がドーム状に膨出しているが、図６（ａ）に示す凸部３０ように、係合片１２を係合部２０の開口部２１から挿入した際に最初に当接する部分を球状に湾曲させ、その背面側に平坦面３１を形成したもの（いわゆる四分の一球形を呈するもの）であってもよい。
【００５６】
この場合には、図６（ｂ）に示すように、凸部３０が貫通孔１４内に入り込むと、平坦面３１がこの貫通孔１４の内側面と噛み合い、係合片１２がさらに外れにくくなり、より安定した状態でカバー部材１０を取り付けることができる。
【００５７】
また、上述の実施の形態では、第一、第二狭持部２２，２３のそれぞれに第一、第二凸部２４，２５が形成されているが、図７に示す係合片１２´のように、係合片本体１３´に第一狭持部２２に向かってドーム状に膨出した第一凸部４０と、第二狭持部２３に向かってドーム状に膨出した第二凸部４１とを形成してもよい。このとき、第一狭持部２２には第一凹部４２が形成され、第二狭持部２３には第二凹部４３が形成される。
【００５８】
この場合であっても、係合片１２´が係合部２０内に挿入されると、第一狭持部２２（延在壁３ｇ）が表示装置１の外方に弾性変形した状態で第一凸部４０が第一凹部４２内に入り込み、第二凸部４１が第二凹部４３内に入り込む。
【００５９】
これにより、係合片１２´は応力が作用していない状態で第一、第二狭持部２２，２３間に狭持されると共に、係合片１２´の係合片本体１３´が変形せず、この係合片本体１３´に応力が作用しない状態で係合片１２´と係合部２０とが係合することができる。
【００６０】
また、上述の実施の形態では、係合片１２の係合片本体１３に形成された凹部として貫通孔１４が形成されているが、第一、第二凸部２４，２５が入り込む開口を有していればよく、貫通していなくてもよい。
【００６１】
また、第一、第二凸部２４，２５のいずれか一方のみが形成されていてもよいし、第一狭持部２２が弾性変形するものであってもよい。
【図面の簡単な説明】
【００６２】
【図１】本発明に係る表示装置を示す正面図である。
【図２】図１におけるＡ−Ａ断面図である。
【図３】図２におけるＢ部を示す拡大図である。
【図４】図３におけるＣ−Ｃ断面図である。
【図５】表示器本体へのカバー部材の取り付け状態を示す説明図であり、（ａ）は取り付け前、（ｂ）は取り付け途中、（ｃ）は取り付け直前をそれぞれ示している。
【図６】本発明に係る表示装置の他の例であり、（ａ）は凸部の拡大斜視図、（ｂ）は要部を拡大した断面図である。
【図７】本発明に係る表示装置のさらに他の例の要部を拡大した断面図である。
【符号の説明】
【００６３】
１                表示装置
２                表示器本体
１０              カバー部材
１２              係合片
１３              係合片本体
１４              貫通孔（凹部）
２０              係合部
２２              第一狭持部
２３              第二狭持部
２４              第一凸部（凸部）
２５              第二凸部（凸部）
【図１】
2010019741.tif 000003
【図２】
2010019741.tif 000004
【図３】
2010019741.tif 000005
【図４】
2010019741.tif 000006
【図５】
2010019741.tif 000007
【図６】
2010019741.tif 000008
【図７】
2010019741.tif 000009